(57)【要約】【課題】アスベスト等の取り扱う作業を伴う隔離エリアに対して入退した作業者の作業記録を確実に管理する。【解決手段】指静脈の画像データを取得する指静脈センサと、隔離エリアへの入域が許可された作業者の識別情報と、該作業者の指静脈画像データが関連付けられて記憶された入域者データ記憶手段と、作業の管理記録情報を記憶する管理データ記憶手段と、入域者データ記憶手段を参照して、隔離エリアに対する入退時に指静脈センサによって取得した作業者の指静脈画像データから、隔離エリアに対して入退した作業者の識別情報を特定する入退者特定手段と、作業を記録しておくための作業記録情報を入力する情報入力手段と、入退者特定手段によって特定した作業者の識別情報と情報入力手段により入力された作業記録情報とを関係付けて管理データ記憶手段に記憶する情報保存手段とを備えた。【選択図】図１
2010009488.tif 000002
【特許請求の範囲】
【請求項１】
隔離エリア内における作業を行うために前記隔離エリアに対して入退した作業者の作業記録を管理する隔離エリア入退管理システムであって、
指静脈の画像データを取得する指静脈センサと、
前記隔離エリアへの入域が許可された作業者の識別情報と、該作業者の指静脈画像データが関連付けられて記憶された入域者データ記憶手段と、
前記作業の管理記録情報を記憶する管理データ記憶手段と、
前記入域者データ記憶手段を参照して、前記隔離エリアに対する入退時に前記指静脈センサによって取得した前記作業者の指静脈画像データから、前記隔離エリアに対して入退した前記作業者の識別情報を特定する入退者特定手段と、
前記作業を記録しておくための作業記録情報を入力する情報入力手段と、
前記入退者特定手段によって特定した前記作業者の識別情報と前記情報入力手段により入力された前記作業記録情報とを関係付けて前記管理データ記憶手段に記憶する情報保存手段と
を備えたことを特徴とする隔離エリア入退管理システム。
【発明の詳細な説明】
【技術分野】
【０００１】
本発明は、指静脈画像を用いた隔離エリア入退管理システムに関する。
【背景技術】
【０００２】
近年、アスベスト（石綿）による健康被害が社会的な問題になって以来、建築物解体・改修工事に伴うアスベスト除去作業での作業者へのアスベストのばく露には細心の注意が払われている。作業者を将来的にフォローするため、労働安全衛生法石綿障害防止規則では雇用主が「アスベスト除去作業者の作業記録は当該従事者が離職後４０年間記録を残す」ことを定めている。これは従事者がアスベストを原因とした疾病を発生した際のばく露履歴を確認するためである。
【０００３】
このような作業記録を作成するためには、アスベスト除去作業等を行うエリアに入った作業者を確実に特定して作業記録を作成する必要があるが、作業計画時の作業者と実際に作業を行った作業者が異なることがあり、確実な作業記録を残すのが困難な場合がある。
【０００４】
一方、先行技術として、携帯端末に指静脈画像を取得するセンサを設け、取得した指静脈情報と登録指静脈情報を照合した結果に基づいてゲートの開閉を制御するゲートの入退出管理システムが知られている（例えば、特許文献１参照）
【特許文献１】特開２００７−２９３３９６号公報
【発明の開示】
【発明が解決しようとする課題】
【０００５】
ところで、作業者の離職後４０年間記録を残すためには、次のような問題がある。すなわち、作業記録を報告書などの紙の記録で４０年以上保管することは現実的ではなく、作業者の雇用会社が倒産してしまった場合などに作業記録が紛失してしまう可能性があるという問題がある。また、作業記録が確実に作業従事者を特定していないことがあり、計画時の名簿をそのまま保管している例などもあり、現状では確実に作業記録を残す手段がないという問題もある。
【０００６】
本発明は、このような事情に鑑みてなされたもので、アスベスト等の取り扱う作業を伴う隔離エリアに対して入退した作業者の作業記録を確実に管理することが可能な隔離エリア入退管理システムを提供することを目的とする。
【課題を解決するための手段】
【０００７】
本発明は、隔離エリア内における作業を行うために前記隔離エリアに対して入退した作業者の作業記録を管理する隔離エリア入退管理システムであって、指静脈の画像データを取得する指静脈センサと、前記隔離エリアへの入域が許可された作業者の識別情報と、該作業者の指静脈画像データが関連付けられて記憶された入域者データ記憶手段と、前記作業の管理記録情報を記憶する管理データ記憶手段と、前記入域者データ記憶手段を参照して、前記隔離エリアに対する入退時に前記指静脈センサによって取得した前記作業者の指静脈画像データから、前記隔離エリアに対して入退した前記作業者の識別情報を特定する入退者特定手段と、前記作業を記録しておくための作業記録情報を入力する情報入力手段と、前記入退者特定手段によって特定した前記作業者の識別情報と前記情報入力手段により入力された前記作業記録情報とを関係付けて前記管理データ記憶手段に記憶する情報保存手段とを備えたことを特徴とする。
【発明の効果】
【０００８】
本発明によれば、入域者データ記憶手段を参照して、隔離エリアに対する入退時に指静脈センサによって取得した作業者の指静脈画像データから、隔離エリアに対して入退した作業者の識別情報を特定するとともに、作業を記録しておくための作業記録情報を入力して、特定した作業者の識別情報と入力された作業記録情報とを関係付けて管理データ記憶手段に記憶するようにしたため、作業記録を電子データとして保管することができるとともに、作業記録の入力を簡易で確実に行うことができる。これにより、アスベスト等の取り扱う作業を伴う隔離エリアに対して入退した作業者の作業記録を確実に管理することが可能となり、４０年間作業記録を保管しておくことも容易になるという効果が得られる。
【発明を実施するための最良の形態】
【０００９】
以下、本発明の一実施形態による隔離エリア入退管理システムを図面を参照して説明する。図１は同実施形態の構成を示すブロック図である。この図において、符号１０は、アスベストの除去作業等を行う隔離エリアへの作業者の入退を管理する入退管理システムであり、パソコン等で構成する。符号１１は、インターネット等の通信ネットワークである。符号１２は、複数の入退管理システム１０から管理データを収集して管理する管理サーバである。符号１３は、ネットワーク１１に接続することができない入退管理システム１０の管理データをオフラインで入力するデータ入力部である。符号１４は、管理サーバ１２によって収集した作業記録等の管理データを保管しておく管理データベースである。符号１５は、アスベストの除去作業等を行う隔離エリアであり、入退するための出入り口にゲート１６が設けられている。
【００１０】
符号１は、入退管理システム１０の処理動作を統括して制御する制御部である。符号２は、キーボードやマウス等から構成する入力部である。符号３は、液晶のディスプレイ装置等から構成する表示部である。符号４は、ゲート１６近傍に設置され、隔離エリア１５に対して入退する作業者が入力操作を行う操作部である。操作部４は、入力部２を兼用するようにしてもよい。符号５は、隔離エリア１５へ入ることが許可されている作業者の指静脈画像データを取得する指静脈センサである。符号６は、紙に記録された作業記録等を読み取り、電子データに変換するスキャナである。符号７は、隔離エリア１５への入域（エリアに入ること）が許可された作業者の識別情報と、この作業者の指静脈画像データとが予め関連付けられて記憶された入域者データ記憶部である。符号８は、作業記録等の管理データを記憶する管理データ記憶部である。
【００１１】
ここで、図２を参照して、図１に示す入域者データ記憶部７のテーブル構造を説明する。図２は、図１に示す入域者データ記憶部７のテーブル構造を示す図である。入域者データ記憶部７は、図２に示すように、作業者を識別するための作業者情報（作業者識別番号）と、この作業者の指静脈画像データのファイル名が関係付けられている。図２においては、作業者情報として、識別するための作業者識別番号のみが記憶されている例を示しているが、これに加えて作業者の氏名、生年月日、性別、本籍地等の作業者を特定することができる情報が記憶されていてもよい。図２に示す入域者データ記憶部７には、作業管理者が、隔離エリア１５に入ることを許可する作業者の作業者情報と、予め指静脈センサ５によって読み取った指静脈画像データとを関係付けて登録しておくものである。
【００１２】
次に、図３を参照して、図１に示す管理データ記憶部８のテーブル構造を説明する。図３は、図１に示す管理データ記憶部８のテーブル構造を示す図である。管理データ記憶部８は、図３に示すように、工事作業を特定するための工事名称毎に、隔離エリア１５に対する作業者の入域時刻、退域時刻、作業者を識別する作業者情報、作業の目的の情報が記憶される（作業実績テーブル８１）ともに、入力部２やスキャナ６から入力された作業記録データを工事名称で関係付けた（リンクした）情報（作業記録テーブル８２）が記憶される。管理データ記憶部８に記憶される情報は、工事作業の進行に伴い、作業日毎に入力されて記憶される情報である。
【００１３】
次に、図１を参照して、図１に示す入退管理システム１０の動作を説明する。隔離エリア１５内において、アスベストの除去作業等に従事する作業者は、ゲート１６を通過するときに、操作部４を操作して、「入域」または「退域」の区分を選択する。制御部１は、ここで入力された「入域」または「退域」の区分の情報を読み取り、内部に保持する。そして、作業者は、指を指静脈センサ５にかざす。制御部１は、指静脈センサ５においてかざされた指の静脈画像データを読み取り、内部に保持する。制御部１は、読み取った指静脈画像データを予め登録されている指静脈画像データと照合して、一致するものを探索する。そして、制御部１は、入域者データ記憶部７を参照して、読み取った指静脈画像データと一致した指静脈画像データが格納されているデータファイル名に関係付けられている作業者情報を特定する。作業者情報を特定できた場合、予め登録されている作業者と見なし、「入域」または「退域」の区分情報が、「入域」を示す情報であった場合、表示部３に作業種類の入力指示メッセージを表示する。作業者は、操作部４を操作して、予め用意されている作業種類の選択肢の中から作業種類を選択する。制御部１は、この操作内容を読み取り、作業種類の情報を特定する。作業種類の選択肢は、「除去」、「準備」、「片付け」のいずれかが選択可能である。
【００１４】
次に、制御部１は、特定した作業者情報と、内部に保持している「入域」または「退域」の区分の情報と、内部のタイマから取得した日時情報と、必要に応じて作業種類の情報とを関係付けて、管理データ記憶部８に記憶する。例えば、「入域」が選択され、作業種類が「除去」が選択された場合、制御部１は、管理データ記憶部８に「入域時刻」として、「２００８／０３／０１、１３：３０：２５」が、「作業者情報」として「８３００２５」が、「作業種類」として「除去」がそれぞれ記憶されることになる。また、「退域」が選択され、読み取った指静脈画像データが、既に入域している作業者のものと一致した場合は、「退域時刻」として、「２００８／０３／０１、１５：２１：３０」が記憶されることになる。
【００１５】
なお、「入域」時に読み取った指静脈画像データが入域者データ記憶部７に登録されていなかった場合と、「退域」時に読み取った指静脈画像データが既に「入域」済みでない（入域時刻が記憶されていない）場合、制御部１は、表示部３に警報の情報を表示するようにしてもよい。
【００１６】
また、ゲート１６は、制御部１によって開閉制御されるようにしてもよい。この場合、制御部１は、読み取った指静脈画像データが予め登録されている場合にのみゲート１６を開くようにする。これにより、登録されていない作業者が隔離エリア１５に入ってしまうことを防止することができる。
【００１７】
一方、作業管理者は、入力部２から作業記録データを入力して、４０年間保管するべき作業記録情報を管理データ記憶部８へ記憶する。管理データ記憶部８へ記憶する保管データは、最小限の保管データとするため次の４項目とする。
（１）建材中のアスベスト分析結果
（２）環境測定分析結果（工事中のアスベスト紛じん濃度測定結果）
（３）工事完了報告書（自治体及び監督署の受付印がある届出書類、元請け担当者名含む施工管理体制表、完了時の工程表など）
（４）作業員（実作業者）名簿（図３に示す作業実績テーブル８１に相当する情報）
【００１８】
上記の（１）、（２）、（３）は、紙に印刷されたものが既にある場合は、新たにデータ入力を行うのではなく、スキャナ６によって紙に印刷された情報を読み取って電子データとして管理データ記憶部８へ保管する。また、上記の保管データを作成するために、作業管理者は、次に示す情報を所定のタイミングで入力する。
（ａ）現揚名（都道府県・市町村名まで）・・・  工事開始時
（ｂ）従事者氏名・・・  工事開始時
（ｃ）生年月日・・・  工事開始時
（ｄ）作業日・・・  作業日ごと
（ｅ）ばく露事故の有無・・・  作業日ごと
（ｆ）直近健康診断受診日・・・  受入教育時（受診予定１ケ月前警告）
（ｇ）特別教育等受講日・・・受入教育時
（ｈ）作業種類（準備、除去、片付け）とその作業レベル（１〜３）・・・作業ごと
【００１９】
これらの情報は、作業記録データとして、作業記録テーブル８２に記憶されて保管される。また、作業員名簿データには生年月日・直近健康診断受診日・特別教育等受講日などの従事者情報と作業レベル（１〜３）・作業種類（準備、除去、片付け）・ばく露事故の有無等の日々の情報を入力して作成する。この処理動作によって、管理データ記憶部８には、工事作業の開始から終了までの作業記録のデータが保存されることになる。
【００２０】
工事が終了した時点で、作業管理者は、入力部２を操作して、管理データ記憶部８に記憶されている情報を、ネットワーク１１を介して、管理サーバ１２へ送信する。管理サーバ１２をこの情報を受信して、受信した情報を管理データベース１４に記憶する。また、入退管理システム１０と管理サーバ１２がネットワーク１１を介して接続されていない場合、作業管理者は、管理データ記憶部８に記憶されている情報を、光磁気ディスク、ＣＤ−ＲＯＭ等の可搬記録媒体に記録し、この可搬記録媒体に記録された情報をデータ入力部１３を介して、管理サーバ１２内に入力する。管理サーバ１２は、データ入力部１３から入力された情報を同様に管理データベース１４へ記憶し保管する。
なお、管理データベース１４を備える管理サーバ１２は、専門の業者が管理することが望ましい。このようにすることにより、工事を請け負った業者が万が一倒産してしまっても作業記録データを紛失してしまうことを防止することができる。
【００２１】
このように、入域者データ記憶部７を参照して、隔離エリア１５に対する入退時に指静脈センサ５によって取得した作業者の指静脈画像データから、隔離エリア１５に対して入退した作業者の識別情報を特定するとともに、作業を記録しておくための作業記録情報を入力して、特定した作業者の識別情報と入力された作業記録情報とを関係付けて管理データ記憶部８に記憶するようにしたため、作業記録の電子データとして保管することができるとともに、作業記録の入力を簡易で確実に行うことができる。これにより、アスベスト等の取り扱う作業を伴う隔離エリアに対して入退した作業者の作業記録を確実に管理することが可能となり、４０年間作業記録を保管しておくことも容易になる。
【００２２】
また、個人の特定方法には個人認証カードを用いる方法や暗証番号を用いる方法等があるが、いずれの場合も忘れてしまったり、他人に貸与することが可能なため、確実に個人を特定することができない。そのため、本発明による個人の特定方法は、指静脈の画像データを用いるようにした。これにより、隔離エリア１５に対して入退した作業者を確実に特定することが可能になり、保管される作業記録の信憑性を高めることが可能となる。      
【００２３】
なお、図１における処理部の機能を実現するためのプログラムをコンピュータ読み取り可能な記録媒体に記録して、この記録媒体に記録されたプログラムをコンピュータシステムに読み込ませ、実行することにより隔離エリア入退管理処理を行ってもよい。なお、ここでいう「コンピュータシステム」とは、ＯＳや周辺機器等のハードウェアを含むものとする。また、「コンピュータシステム」は、ホームページ提供環境（あるいは表示環境）を備えたＷＷＷシステムも含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。
【００２４】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであってもよい。さらに、前述した機能をコンピュータシステムにすでに記録されているプログラムとの組み合わせで実現できるもの、いわゆる差分ファイル（差分プログラム）であってもよい。
【図面の簡単な説明】
【００２５】
【図１】本発明の一実施形態の構成を示すブロック図である。
【図２】図１に示す入域者データ記憶部７のテーブル構造を示す説明図である。
【図３】図１に示す管理データ記憶部８のテーブル構造を示す説明図である。
【符号の説明】
【００２６】
１・・・制御部、２・・・入力部、３・・・表示部、４・・・操作部、５・・・指静脈センサ、６・・・スキャナ、７・・・入域者データ記憶部、８・・・管理データ記憶部、１０・・・入退管理システム、１１・・・ネットワーク、１２・・・管理サーバ、１３・・・データ入力部、１４・・・管理データベース
【図１】
2010009488.tif 000003
【図２】
2010009488.tif 000004
【図３】
2010009488.tif 000005